(57)【特許請求の範囲】
【請求項１】
釣り用ブーツの底面に形成された凹所に嵌め込んで使用されるフエルト底であって、
(a)  適所に複数個の通孔が形成されているフエルト底本体と、
(b)  前記通孔に挿入され、フエルト底本体の靴裏面に開口する吸盤部材と、
(c)  前記凹所内に嵌め込まれるフエルト底本体の靴裏内面に張設された補強層と、
(d)  補強層の表面に形成され、釣り用ブーツの裏底に固着される固着層とで構成されたことを特徴とする釣り用ブーツのフエルト底。
【請求項２】
吸盤部材が、有底筒体状の吸盤本体と、吸盤本体の外周に設けられ、フエルト底本体の通孔の周囲に係止する外鍔とで構成され、前記外鍔がフエルト底本体と補強層とで挟持されていること特徴とする請求項１に記載の釣り用ブーツのフエルト底。
【請求項３】
吸盤本体の中心部分に吸盤本体の開口に向かって突設され、その先端が吸盤本体の開口より内側に位置する金属ピンが吸盤部材に設置されていることを特徴とする請求項１又は２に記載の釣り用ブーツのフエルト底。
【請求項４】
吸盤本体の中心部分に吸盤本体の開口に向かって突出するように金属ピンが吸盤本体の閉塞天井部に植設され、前記閉塞天井部が金属ピンの軸方向に撓む事が出来るようになっていることを特徴とする請求項１または２に記載の釣り用ブーツのフエルト底。
【請求項５】
閉塞天井部が開口側に膨出していることを特徴とする請求項５に記載の釣り用ブーツのフエルト底。
【発明の詳細な説明】
【０００１】
【発明の属する技術分野】
本発明は、滑りやすい渓流や海岸の岩場でしっかりと足場を捉えることができる釣り用ブーツのフエルト底に関する。
【０００２】
【従来の技術】
渓流釣りや海岸釣りを行う場合、コケや海草が付着しヌルヌルして非常に滑りやすくなっている岩場の上を素早く動き廻る必要がある。このような岩場での行動には常に大きな危険がつきまとう。例えば、前記岩場でのスリップ事故が起きると、下の岩に体をぶつけて骨折したり、手や足が岩の隙間に入り込み、その状態で体が倒れることによって手や足を骨折したり、甚だしくは急流や海中に落ちて命が危険に曝されるようなこともある。そのようなスリップ事故を防止するため、昔はゴム製の長靴の上から藁紐を巻付け滑り止めとしていた。最近では専用のブーツが開発され、釣り人の人気を博している。
【０００３】
この釣り用ブーツは、靴の底裏全体に凹所が形成されておりマジックファスナを利用してその凹所に嵌め込まれたフエルト底を固定するようになっている。フエルト底は堅く且つ尖ったエッジを持つ岩場によく馴染み、スリップを防止するという優れた作用を持つが、岩場に対する係止作用がなく信頼性に若干欠ける面がある。なお、前記フエルト底は堅く且つ尖ったエッジを持つ岩場の上を頻繁に歩き廻るためすぐに摩耗してしまい、頻繁に交換する必要があるため前述のように交換可能になっている。
【０００４】
このようなフエルト底が嵌め込まれて使用される釣り用ブーツにおいて、更に岩場にしっかりとフエルト靴底が引っ掛かって滑らないようにするために、２個一対の小孔をフエルト底に穿設し、略コ字型のピン金具を挿入し、コ字型ピン金具の先端をフエルト底の底裏に臨ませるようにしたものもあった。しかしながら、ピン金具は岩場に係止するがピン金具の先端とフエルト底に一致しているか又はフエルト底から若干突出しているために岩場を歩き廻ると足の裏がごつごつして履き心地が悪いという欠点があった。加えて、従来のフエルト底には補強層がなく、直接マジックファスナの一方が設けられた固着層が形成されていたため、フエルト底本体の厚みが大きくなり、この厚底のフエルト底本体を釣り用ブーツに取り付けて水中を歩き廻るとこのフエルト底本体が水を吸って重くなり、足が疲れるばかりか動きを悪くするという問題もあった。
【０００５】
【発明が解決しようとする課題】
本発明の解決課題は、滑りやすく且つごつごつした岩場を的確に捉えしかも足の裏に滑らかな感覚を与えることができ、足の疲れも少なくて履き心地のよい釣り専用ブーツのフエルト底を開発することにある。
【０００６】
【課題を解決するための手段】
「請求項１」に記載のフエルト底(A)は、「釣り用ブーツ(1)の底面に形成された凹所(2)に嵌め込んで使用されるフエルト底(A)であって、
(a)  適所に複数個の通孔(3)が形成されているフエルト底本体(4)と、
(b)  前記通孔(3)に挿入され、フエルト底本体(4)の靴裏面に開口する吸盤部材(5)と、
(c)  前記凹所(2)内に嵌め込まれるフエルト底本体(4)の靴裏内面に張設された補強層(6)と、
(d)  補強層(6)の表面に形成され、釣り用ブーツ(1)の凹所(2)の裏底(2a)に固着される固着層(8)とで構成された」ことを特徴とする。
【０００７】
これによれば、フエルト底本体(4)の靴裏面に開口する吸盤部材(5)は柔らかく岩場の表面に軽く吸着するので係止効果を発揮し、フエルト底本体(4)の馴染み性と協働して凹凸のある岩場でのスリップ事故を大幅に減少させることができる。しかもこの吸盤部材(5)は柔らかいので、ごつごつした岩場に合わせて柔軟に変形するので、歩き心地を損なうこともない。また、補強層(6)は、独立気泡型のスポンジで構成されており（勿論、スポンジでなく通常の柔軟性を有する樹脂でもよい。）、フエルト底本体(4)の補強を行うと同時に断熱性を有するので渓流や海岸の水中に居ても足の裏の熱が奪われにくく足温効果を有する。また、補強層(6)の表面に例えばマジックファスナの一方(ループ側)のような固着層(8)が形成されているので、釣り用ブーツ(1)の凹所(2)の裏底(2a)にしっかりと固着される。
【０００８】
加えて、非含水性の補強層(6)を有するので、全体的にフエルト底本体(4)を薄くすることができ、その結果を発明にかかるフエルト底(A)を釣り用ブーツ(1)に取り付け、水中を歩き廻ったとしてもフエルト底本体(4)の吸水量は小さく、釣り用ブーツ(1)が重くならない。したがって、水中でも岩の上でも軽快に移動することができ、足も疲れないという利点がある。
【０００９】
「請求項２」は請求項１に記載の釣り用ブーツ(1)のフエルト底(A)に装着される吸盤部材(5)の形状に関し「吸盤部材(5)が、有底筒体状の吸盤本体(5a)と、吸盤本体(5a)の外周に設けられ、フエルト底本体(4)の通孔(3)の周囲に係止する外鍔(5b)とで構成されている」ことを特徴とするもので、吸盤部材(5)は前記外鍔(5b)がフエルト底本体(4)と補強層(6)とで挟持されることによってしっかりと固定されるようになっている。
【００１０】
「請求項３」は請求項１又は２に記載の釣り用ブーツ(1)のフエルト底(A)に使用される吸盤部材(5)の変形例で、「吸盤本体(5a)の中心部分に吸盤本体(5a)の開口(5d)に向かって突設され、その先端(7a)が吸盤本体(5a)の開口(5d)より内側に位置する金属ピン(7)が吸盤部材(5)に設置されている」ことを特徴とするもので、釣り人が釣り用ブーツ(1)を履いて岩場を歩き廻った時、岩場に吸盤部材(5)とその周辺が接触して若干内側に押し込まれて変形すると、これに対して変形しない金属ピン(7)の先端(7a)が吸盤本体(5a)の開口(5d)に一致或いは開口(5d)から飛び出して岩場に係止すると共に吸盤部材(5)による岩場に対する吸着やフエルト底(A)の馴染み性と協働してよりよく岩場を把持するようになり、渓流や岩場でのスリップを効果的に防止することができる。
【００１１】
「請求項４」は「請求項３」の他の実施例で「吸盤本体(5a)の中心部分に吸盤本体(5a)の開口(5d)に向かって突出するように金属ピン(7)が吸盤本体(5a)の閉塞天井部(5g)に植設され、前記閉塞天井部(5g)が金属ピン(7)の軸方向に撓む事が出来るようになっている」ことを特徴とするものであり、「請求項５」はその具体例で「閉塞天井部(5g)が開口(5d)側に膨出している」ことを特徴とする。この場合は、前述のように釣り人が釣り用ブーツ(1)を履いて岩場を歩き廻って岩場に吸盤部材(5)とその周辺が接触して若干内側に押し込まれて変形したとき、変形しない金属ピン(7)の先端(7a)も岩場に押されて吸盤本体(5a)内にへこみ、前記閉塞天井部(5g)を内側に撓ませることになる。そしてある程度へこんだところでストップし、金属ピン(7)が岩場に係合し、前述同様、渓流や岩場でのスリップを効果的に防止することができる。
【００１２】
【発明の実施の形態】
以下、本発明のフエルト底(A)を図示実施例に従って説明する。本発明のフエルト底(A)は、厚手のフエルト底本体(4)、前記フエルト底本体(4)に取り付けられる複数の吸盤部材(5)及び前記フエルト底本体(4)の靴裏内面に張設された補強層(6)と並びに固着層(8)とで構成されている。フエルト底(A)は釣り用ブーツ(1)の底面に形成された凹所(2)の形状に合わせて裁断されており、爪先部分、土踏まずの部分及び踵の部分にかけての適所に通孔(3)が穿設されている。フエルトの材質(合成繊維や天然繊維)としては例えばポリプロピレン繊維、ポリエステル繊維、ポリアクリル繊維、ポリビニリデン繊維、ポリエチレン繊維或いは綿などが使用される。
【００１３】
前記通孔(3)に嵌め込んで使用される吸盤部材(5)は、有底筒状の吸盤本体(5a)とその外周に突設された外鍔(5b)とで構成されている。吸盤部材(5)の高さは、吸盤部材(5)を通孔(3)に挿入したときに吸盤本体(5a)の先端開口部分がフエルト底本体(4)の靴裏面に一致或いは靴裏面から若干突出している程度であることが好ましい。外鍔(5b)の形成位置は特段限定されるものでないが、本実施例では吸盤本体(5a)の側面上端外周に形成されている。吸盤部材(5)、特に吸盤本体(5a)は軟質ゴムのようなもので形成されており、その開口(5d)が接触した対象物に合わせて柔軟に変形し吸着する事になる。
【００１４】
吸盤部材(5)の外鍔(5b)は変形しないような固いものでもよいが、逆に、吸盤本体(5a)の周辺部分(5c)が可撓性を有しており、吸盤本体(5a)の開口(5d)側からの押圧力により変形して吸盤本体(5a)をその軸方向に移動可能とするようになっていてもよい。ここでは外鍔(5b)の周辺部分(5c)がある程度可撓性を有している場合を中心に説明する。
【００１５】
補強層(6)は軟質塩化ビニルやポリプロピレン、ポリエチレンその他最適な独立気泡の発泡樹脂（勿論、柔軟性を有する通常の樹脂でもよい。）にて形成され、フエルト底本体(4)の靴裏内面に一体的に張設され、フエルト底本体(4)の補強を図っている。独立気泡の発泡樹脂を使用している場合は、断熱性を有しているので靴底からの熱放散を防止することができ、保温性に優れる。前記吸盤部材(5)の外鍔(5b)はフエルト底本体(4)と補強層(6)との間に挟着されている。また、補強層(6)を設けることでフエルト底本体(4)の厚みを小さくすることができる。
【００１６】
固着層(8)は、釣り用ブーツ(1)の底面に形成された凹所(2)の裏底(2a)に形成されている例えばマジックファスナ(M)の一方(例えばフック側)に係止される他方(例えばループ側)が全面に形成されている。
【００１７】
しかして、この釣り用ブーツ(1)を履き、渓流や海岸或いは離島などの岩場を歩き廻ると、フエルト底本体(4)が岩場によく馴染み、コケや海草でヌルヌルしている岩場でもスリップせず、且つ、吸盤部材(5)が岩場に合わせて変形して上手く吸着・固定する。その結果、フエルト底本体(4)と吸盤部材(5)との協働作用により凹凸のある岩場でのスリップを防止することができる。そして、この吸盤部材(5)は柔らかいので、ごつごつした岩場に合わせて柔軟に変形するので、歩き心地を損なうこともない。
【００１８】
また、フエルト底(A)の補強層(6)の存在により、水を吸って柔らかくなったフエルト底本体(4)に対して腰を与え、補強効果を発揮すると同時に、その断熱性により渓流や岩場の水の中を歩きまわったとしても足の裏から熱が奪われず足が冷えにくい。更に前述のようにフエルト底本体(4)の厚みを従来のものに比べて薄くできるので、フエルト底本体(4)が水を吸ってもさほど重くならず、動きを阻害することもなければ足を疲れさせることもなく非常に使い勝手がよい。
【００１９】
また、渓流や岩場を歩き廻り、吸盤部材(5)やフエルト底(A)が摩耗したり破損すると、釣り用ブーツ(1)の凹所(2)から古いフエルト底(A)を剥奪し、新しいフエルト底(A)を嵌め込み、固着層(8)を凹所(2)の裏底(2a)に形成されている前記マジックファスナ(M)の一方に係着することで簡単に交換することができる。
【００２０】
図４，５は本発明の吸盤部材(5)の第２実施例で、吸盤部材(5)の中に金属ピン(7)が装着されている例である。金属ピン(7)は、超硬や焼きの入った鋼或いはステンレスで、一端に鍔体(7b)が設けられた断面Ｔ字状の部材で、吸盤本体(5a)の中心部分に取り付けられている。本実施例の吸盤本体(5a)は、その内周中央に突条(5e)が突設されており、その突条(5e)と吸盤本体(5a)の天井部分との間の空隙(5f)に前記金属ピン(7)の鍔体(7b)が埋め込まれて固定されている。前記金属ピン(7)の高さは、吸盤本体(5a)の孔の深さより小さく、その先端(7a)は吸盤本体(5a)の開口(5d)の内側に位置する。
【００２１】
従って、フエルト底(A)に荷重が集中的に掛からず、フエルト底(A)がさほど圧縮されない状態にあっては、図４に示すように金属ピン(7)の先端(7a)は接地面から浮いている。従って、通常の歩行状態では金属ピン(7)は接地面に接触しない。それ故、歩行時に金属ピン(7)が足の裏を突き上げず、ごつごつした感じを生じさせずよい履き心地を与えることができる。
【００２２】
一方、角の尖った岩場を歩き廻るような場合、尖った岩が釣り用ブーツ(1)のフエルト底(A)の一カ所に集中して当たり、その部分を図５のように凹ませる。すると、吸盤本体(5a)は軟質部材で形成されているので簡単に凹み、変形しない金属ピン(7)の先端(7a)が吸盤本体(5a)の開口(5d)から露出し、接地面に係止する。また、圧縮された吸盤本体(5a)から空気を抜け、吸盤本体(5a)の空間内が負圧となり、吸着力を発揮する。すなわち、この場合はフエルト底本体(4)による岩場との馴染み性、吸盤本体(5a)の岩場への吸着力並びに吸盤本体(5a)の開口(5d)から露出した金属ピン(7)による係止作用が協働してより岩場でのスリップを防止する。
【００２３】
図６，７は本発明の吸盤部材(5)の第３実施例で、前述同様、吸盤部材(5)の中に金属ピン(7)が装着されているが、この場合吸盤本体(5a)の閉塞天井部(5g)に金属ピン(7)が植設されている。この場合、前記閉塞天井部(5g)は例えば開口(5d)側に球状に膨出しており、金属ピン(7)の軸方向に撓む事が出来るようになっている。この場合、金属ピン(7)の先端(7a)は開口(5d)と面一であってもよい。
【００２４】
この場合、前述のように釣り人が釣り用ブーツ(1)を履いて岩場を歩き廻って岩場に吸盤部材(5)とその周辺が接触して若干内側に押し込まれて変形したとき、変形しない金属ピン(7)の先端(7a)も岩場に押されて吸盤本体(5a)内にへこみ、前記閉塞天井部(5g)を内側に撓ませることになる。そしてある程度へこんだところでストップし、金属ピン(7)が岩場に係合し、前述同様、渓流や岩場でのスリップを効果的に防止することができる。また、通常ここでは金属ピン(7)の先端(7a)に地面が接触したとしても、前記閉塞天井部(5g)が撓むので、さほどごつごつした感じを生じさせずよい履き心地を与えることができる。
【００２５】
【発明の効果】
この発明では、フエルト底本体に吸盤部材を装備しているので、吸盤部材による吸着作用とフエルト底本体の馴染み性とが協働して凹凸のある岩場でのスリップ事故を大幅に減少させることができる。しかも、フエルト底本体の靴裏内面には補強層が張設されているので、水の中でも足が冷えず、長時間の水の中での釣りを楽しむことができる。また、前記補強層の存在によりフエルト底本体の厚みを小さくできるので、フエルト底本体が水を吸ってもさほど重くならず、行動に支障が生ずることもなければ、足が疲れるようなこともなく非常に使い勝手がよい。しかもこのフエルト底は固着層にて釣り用ブーツの凹所の裏底に簡単に着脱することもできるという利点がある。また、吸盤本体内に金属ピンを設けておけば、フエルト底の一カ所に力が加わってその部分が凹んだ時、金属ピンが吸盤本体の開口から露出して接地面に係合し、スリップの防止をより効果的にすることができる。なお、前記金属ピンの高さは吸盤本体の孔の深さより小さいので、あるいは可撓性の閉塞天井部に金属ピンが植設されているので、通常の歩行時には金属ピンは接地面に接触せず、歩行感を損なうことがない。
【図面の簡単な説明】
【図１】本発明にかかる釣り用ブーツの断面図
【図２】図１の底面図
【図３】本発明の吸盤部材の第１実施例の断面図
【図４】本発明の吸盤部材の第２実施例の断面図
【図５】図４の吸盤部材が圧縮され、金属ピンが接地面に係合している状態を示す断面図
【図６】本発明の吸盤部材の第３実施例の断面図
【図７】図６の吸盤部材が圧縮され、金属ピンが接地面に係合している状態を示す断面図
【符号の説明】
(A)  フエルト底
(1)  釣り用ブーツ
(2)  凹所
(3)  通孔
(4)  フエルト底本体
(5)  吸盤部材
(6)  補強層
(7)  固着層
【図１】
0003737377.tif 000002
【図２】
0003737377.tif 000003
【図３】
0003737377.tif 000004
【図４】
0003737377.tif 000005
【図５】
0003737377.tif 000006
【図６】
0003737377.tif 000007
【図７】
0003737377.tif 000008